(57)【要約】      （修正有）【課題】冷蔵庫が大型化して中に多種多様な物が収納されるようになり、量が増えたぶん食品を古くしてしまうことが出てきたり、一番奥に隠れてしまったしまって長期保存をしている食料品を腐らしてしまうことを防ぐ。【解決手段】冷蔵庫の前面の扉に液晶表示パネル１６を取り付け賞味期限を表示する。賞味期限になった食品には、ランプの点滅により月日を表示して食料品の鮮度を知らせて腐らないようにする。扉の前面に付けた液晶表示パネル１６にＬＡＮ端子とテレビドアホン操作機能を加えて、来客が玄関にきたとき、冷蔵庫の前でも対応できるようにする。ＬＡＮ端子によりパソコン表示機能を利用できるようにする。冷蔵庫の扉に小さいポケツト収納庫を設けて、その中に小さい鋏や栓抜き、果物ナイフなどを入れる。冷やすものが増えた場合の屋外用簡易冷蔵庫の下にブザーを付け加えて防犯機能を高める。【選択図】図１
2014211299.tif 000002
【特許請求の範囲】
【請求項１】
冷蔵庫の扉に液晶表示装置を取りつけて、中に貯蔵している食料品の賞味期限を数値で現して、鮮度をまもって貴重な食べ物を管理する。
昨年出願の特願２０１２−２８６０３９請求項１記載に、ビデオレコーダーのタイマー機能を付け加えて、賞味期限の近づいた魚などの日付を点滅させて分かりやすくする。
各種のタイマー機能は現在時刻を合わせるセツト操作をしないと点滅をくり返す仕組みになっていますが、点滅信号のＡ接点とＢ接点を入れ替えて、図１の（１６）のように期日がくれば点滅をくり返して、賞味期限間近になっていることを知らせる。
【請求項２】
冷蔵庫の液晶表示装置をテレビドアホンとしても使えるように機能を加える。
扉の液晶表示ケース上部に、図１の（４）テレビドアホン用ＬＡＮ端子と同装置の電気機能部品を付け加えてドアホン用としての多機能性をもたす。
【請求項３】
液晶表示装置にパソコン用のＬＡＮ端子図１の（６）と同装置のＩＣ機能部品を取りつけて、パソコンでの表示もできるよう動作を多様化する。
【請求項４】
冷蔵庫の扉前面に図１の（１２）に示したポケツト収納庫を設けるようにする。
その中に小さい鋏や栓抜き、果物ナイフなどを入れて、冷蔵庫の中から取り出したビニー−ル袋コルク栓などを開いたり抜いたりするのに使用する。
【請求項５】
夏場などにビールなど冷やすものが増えた場合の屋外用簡易冷蔵庫特願２０１２−２８６０３９請求項２記載に足と防犯用の警報ブザー図４の（２６）を付け加える。
【請求項６】
液晶画面表示装置を冷蔵庫の扉に取り付けた場合、電気配線を扉の上部にある開閉軸を太く空洞化して、その中をとおして本体の電源とかＬＡＮ端子に接続する。
【発明の詳細な説明】
【技術分野】
【０００１】本発明は、一般家庭で使われる冷蔵庫の中に入っている食料品の鮮度を液晶画面で表示するとともに、テレビドアホンやパソコン表示機能を付け加えて多機能化する。
請求項４は冷蔵庫の中からハンバーグなどを取り出した時に、すぐにビニールの封を切れるように、扉の前面に小さい鋏などをしまっておけるポケツト収納庫を取り付ける。
請求項５は、冷蔵庫の中が一杯になって食料品が入らなくなったとき、その溢れた食品を屋外用の簡易冷蔵庫特願２０１２−２８６０３９請求項２記載に分別する。
その簡易冷蔵庫にブザーを取り付けて防犯効果を高める。
【背景技術】
【０００２】従来の家庭用冷蔵庫では中に入っている大小さまざまな食料品の賞味期限が不明確であり、大型化に伴って一層それが顕著になって食べ物の鮮度を落とすことになる。【０００３】一般家庭のテレビドアホンは片隅の狭い場所に据えつけられていて、応答がしにくい。【０００４】冷蔵庫の中からビニールパツクに入った食料品を取り出しても、鋏などを流し台等から探さなければならないことがある。【０００５】夏場アイスクリーム等冷凍するものが増えると、冷蔵庫の中に入りきれないことがある公報が分かりませんので、次からの文献は不明。
【先行技術文献】
【特許文献】
【０００６】
【特許文献１】
【特許文献２】
【非特許文献】
【０００７】
【非特許文献１】
【発明の概要】
【発明が解決しようとする課題】
【０００８】冷蔵庫の扉に液晶表示装置を取り付けて、大切な食料品を古くしないようにする目的。【０００９】冷蔵庫の前は広く動き易いので、そこにテレビドアホンとパソコン表示機能を加える。【００１０】夏場の増えた食料品を痛めないように、別の屋外形簡易冷蔵庫に入れるようにする。
【課題を解決するための手段】
【００１１】冷蔵庫の扉に液晶表示装置を取り付けて、収納した食料品の賞味期限を月日で表すとともに、期日が近づいてきた食品にはランプの点滅によって通知する。【００１２】液晶表示装置にテレビドアホン用のＬＡＮ端子と通話マイク、それに通話と終了押しボタンをセツトして、冷蔵庫の前でもカメラ玄関子機の来客の応対ができるようにする。【００１３】キツチンルームでも液晶表示装置を使ってパソコンの使用と表示ができるよう、パソコン用ＬＡＮ端子と液晶表示機能をみたす回路を組み込む。【００１４】冷蔵庫の扉に小さい収納庫用の窪み空間を設けて、その中に鋏やナイフを入れておく。【００１５】冷蔵食品が増えて入らなくなった時、図４のブザー付き屋外形簡易冷蔵庫を利用する。
【発明の効果】
【００１６】上述したように冷蔵庫の前面に液晶画面の表示装置を取り付けて、食品の賞味期限を表し、期日の近いものにはランプの点滅で知らせるようにして、食品の有効性を上げる。【００１７】冷蔵庫の前は広く開いているので、液晶表示装置にテレビドアホン用の操作機能やパソコンの表示機能を付け加えると、日常的に気持ちがゆつたりとして扱うことができる。【００１８】冷蔵庫の扉のポケツト収納庫にパツク食品の開封鋏などが手近にあると、調理が早い。【００１９】主冷蔵庫に食料品が入らなくなった場合、屋外形簡易冷蔵庫を副機種として利用することによって、食料品の保存と期限切れで捨てるなどの無駄を少なくすることができる。
【図面の簡単な説明】
【００２０】
【図１】  冷蔵庫の扉の表面に、液晶画面表示装置とその下にポケツト収納庫を設置
【図２】  冷蔵庫の扉に液晶画面表示装置とポケツト収納庫を取り付けた側面図
【図３】  冷蔵庫の液晶画面表示装置に食料品表示機能とテレビドアホン操作システム、パソコン表示機能を加えた全体電気配線図
【図４】  屋外形簡易冷蔵庫に磁気センサーと警報ブザーを取り付けた側面図
【図５】  屋外形簡易冷蔵庫に磁気センサーと警報ブザーを取り付けた電気配線図
【図６】  冷蔵庫の本体と扉配線の施工を示す、扉が開いた状態の側面図
【図７】  同上扉が開いた状態の平面図
【発明を実施するための形態】
【００２１】図１のように冷蔵庫の扉の表面に、液晶画面表示装置とその下にポケツト収納庫を設置して、食品管理やテレビドアホンシステム、パソコン表示機能と多機能性を持たす。
図４は屋外形簡易冷蔵庫に磁気センサーと警報ブザーを取り付けて防犯効果を高める。
【実施例】
【００２２】図１液晶画面表示装置の電源を入れるとセレクトスイッチを０に合わせて、モードボタンとモード選択スイッチ（１５）の操作によって食品管理画面を表示する。
モード選択スイッチの時刻合わせで、各項目の賞味期限の月日を記録する。
ビデオデツキなどは現在時刻を合わせないと点滅をくり返しますが、点滅のＡ接点とＢ接点を入れ替えて、賞味期限が近づくと点滅するように変える。【００２３】テレビドアホンのモニター親機と本機をＬＡＮケーブルで接続する。
液晶画面表示装置にテレビドアホン回路を組み込んで、セレクトスイッチを１に合わせ下部の通話と終了スイッチ、通話マイク（８）を操作することによって、テレビドアホンシステムとしても冷蔵庫の前で活用できるようにする。
本機のＬＡＮ端子はケースの上部にありますが冷蔵庫の本体に移設することもできる。【００２４】液晶画面表示装置の上部にパソコン用ＬＡＮ端子を設ける。
パソコンのＬＡＮ端子を介して、ＬＡＮケーブルで本機と接続して、セレクトスイッチを２に合わせることにより、モード選択スイッチでパソコン機能を選択して、装置に内蔵したパソコン表示回路によってさまざまな操作をおこなえる。【００２５】冷蔵庫の扉の内部に図１ポケツト収納庫（１２）を取り付けて、ビニールパツクを開ける鋏などの小物を入れておけるようにすると便利である。
表面カバー（１３）は開閉用ピン（１１）によって手前に開く。
表面カバーの開閉はマグネットキヤッチ（１０）により確実に開閉動作する。
ポケット収納庫の底は斜めに傾斜をつけることにより、鋏などの小物が落ちにくい。【００２６】図４屋外形簡易冷蔵庫に腐食を減らす足をつけて、そこに磁気センサー（１８）と警報ブザー（２６）を取り付けて、品物を盗難されないよう防犯効果を高める。
磁気センサーには家庭の扉防犯センサーとしてオーム電機社製ＯＳＣ−１７３などがあり、ふたっの磁気が離れると内蔵接点が働く仕組みになっている。
磁気センサー接点Ｓａと警報ブザーを電源ラインとつなぐことで移動すると知らせる。【００２７】冷蔵庫の扉に液晶画面表示装置を取り付けた場合の電気配線を図６で示す。
扉の回転軸（３３）を少し太くして中を空洞化する。
その中を電線を通して本体の内部電源などと接続する。
ＬＡＮ端子を本体に設けた場合もこの部分を利用して配線する。
【産業上の利用可能性】
【００２８】大型化した冷蔵庫の扉に液晶画面表示装置を取り付けることにより、中に入っている食品の種類と賞味期限が分かり、食料品の保存と廃棄することを減少させることができる。
食料品の保存は大切な使命であるので、一般家庭や食品を扱う産業の冷凍冷蔵庫の扉の表面に本機を取り付けて、新鮮で美味しい食料品を食べることができる。
夏の暑い時期は一般家庭でも冷やすものが増えてきますので、家の外の小さなスペースに屋外形簡易冷蔵庫を置いて、食品を収納することが出来るようになる。
貴重な食料品の保存効果をあげる成果があるので普及します。
【符号の説明】
【００２９】１  液晶画面表示装置のケース
２  冷蔵庫の扉
３  取り付けネジ
４  テレビドアホン用ＬＡＮ端子
５  機能切り替え用セレクトスイッチ
６  パソコン表示用ＬＡＮ端子
７  操作ボタン部
８  テレビドアホン用通話マイク
９  電源コード
１０  扉開閉用マグネットキヤッチ
１１  扉開閉用ピン
１２  ポケツト収納庫
１３  表面カバー
１４  冷蔵庫の扉の取っ手
１５  モード選択スイッチ
１６  液晶画面
１７  ＩＣ基盤
ＳＳ  セレクトスイッチ
ＴＬＡＮ  テレビドアホン用のＬＡＮ端子
ＰＬＡＮ  パソコン表示用のＬＡＮ端子
１８  磁気センサー
１９  内部配線
２０  冷蔵装置
２１  冷蔵庫室内
２２  開閉ハンドル
２３  外ブタ
２４  冷蔵庫本体
２５  電源プラグ
２６  警報ブザー
２７  防犯ワツパ
２８  山形パッキン
２９  外ブタ開閉用の蝶板
３０  配線用ダクト
３１  冷蔵庫の本体と扉の電気配線
３２  扉連結用の補強鉄板
３３  扉開閉用の空洞回転軸
Ｓａ  磁気センサーのＡ接点
ＢＺ  警報ブザー
【図１】
2014211299.tif 000003
【図２】
2014211299.tif 000004
【図３】
2014211299.tif 000005
【図４】
2014211299.tif 000006
【図５】
2014211299.tif 000007
【図６】
2014211299.tif 000008
【図７】
2014211299.tif 000009